【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
超臨界流体を含む移動相を供給流路に供給する送液部と、前記供給流路から分岐する第１および第２の流路にそれぞれ設けられる第１および第２の背圧調整器と、前記第１の流路において前記第１の背圧調整器の上流に設けられる分析カラムとを含む超臨界流体クロマトグラフの分析条件の決定を支援する分析支援方法であって、
前記第２の背圧調整器の圧力が予め規定された第２の設定値に設定された状態で、前記第１の背圧調整器の圧力を前記第２の設定値よりも高い値に設定するステップと、
予め規定された総流量および予め規定された試料導入割合で移動相が前記供給流路に供給された場合に理論上前記第１の流路に供給される移動相の流量で、移動相を前記供給流路に供給するように前記超臨界流体クロマトグラフに指示した後、前記第１の背圧調整器の圧力の設定値を漸次低下させるように前記超臨界流体クロマトグラフに指示するステップと、
前記第１の背圧調整器の圧力の設定値の低下により前記第２の流路に移動相が供給されなくなったときの前記第１の背圧調整器の圧力の設定値を第１の設定値として検出するステップとを含む、分析支援方法。
【請求項２】
前記第１の背圧調整器の圧力を前記検出された前記第１の設定値に設定するステップをさらに含む、請求項１記載の分析支援方法。
【請求項３】
規定された試料導入割合、移動相の規定された総流量および規定された第２の設定値を含む分析条件を記憶するステップと、
前記検出された前記第１の設定値を分析条件の一部として決定または更新するステップとをさらに含む、請求項１記載の分析支援方法。
【請求項４】
前記漸次低下する前記第１の背圧調整器の圧力の設定値が予め定められたしきい値よりも低下した場合に警告を提示するステップをさらに含む、請求項１〜３のいずれか一項に記載の分析支援方法。
【請求項５】
超臨界流体を含む移動相を供給流路に供給する送液部と、前記供給流路から分岐する第１および第２の流路にそれぞれ設けられる第１および第２の背圧調整器と、前記第１の流路において前記第１の背圧調整器の上流に設けられる分析カラムとを含む超臨界流体クロマトグラフの分析条件の決定を支援する分析支援装置であって、
前記第２の背圧調整器の圧力が予め規定された第２の設定値に設定された状態で、前記第１の背圧調整器の圧力を前記第２の設定値よりも高い値に設定する設定部と、
予め規定された総流量および予め規定された試料導入割合で移動相が前記供給流路に供給された場合に理論上前記第１の流路に供給される移動相の流量で、移動相を前記供給流路に供給するように前記超臨界流体クロマトグラフに指示した後、前記第１の背圧調整器の圧力の設定値を漸次低下させるように前記超臨界流体クロマトグラフに指示する指示部と、
前記第１の背圧調整器の圧力の設定値の低下により前記第２の流路に移動相が供給されなくなったときの前記第１の背圧調整器の圧力の設定値を第１の設定値として検出する検出部とを備える、分析支援装置。
【請求項６】
前記設定部は、前記第１の背圧調整器の圧力を前記検出された前記第１の設定値に設定する、請求項５記載の分析支援装置。
【請求項７】
規定された試料導入割合、移動相の規定された総流量および規定された第２の設定値を含む分析条件を記憶する記憶部と、
前記検出された前記第１の設定値を分析条件の一部として決定または更新する決定更新部とをさらに備える、請求項５または６記載の分析支援装置。
【請求項８】
前記指示部の指示により漸次低下する前記第１の背圧調整器の圧力の設定値が予め定められたしきい値よりも低下した場合に警告を提示する提示部をさらに備えた、請求項５〜７のいずれか一項に記載の分析支援装置。
【請求項９】
超臨界流体を含む移動相を供給流路に供給する送液部と、前記供給流路から分岐する第１および第２の流路にそれぞれ設けられる第１および第２の背圧調整器と、前記第１の流路において前記第１の背圧調整器の上流に設けられる分析カラムとを含む超臨界流体クロマトグラフの分析条件の決定を支援する分析支援プログラムであって、
前記第２の背圧調整器の圧力が予め規定された第２の設定値に設定された状態で、前記第１の背圧調整器の圧力を前記第２の設定値よりも高い値に設定する処理と、
予め規定された総流量および予め規定された試料導入割合で移動相が前記供給流路に供給された場合に理論上前記第１の流路に供給される移動相の流量で、移動相を前記供給流路に供給するように前記超臨界流体クロマトグラフに指示した後、前記第１の背圧調整器の圧力の設定値を漸次低下させるように前記超臨界流体クロマトグラフに指示する処理と、
前記第１の背圧調整器の圧力の設定値の低下により前記第２の流路に移動相が供給されなくなったときの前記第１の背圧調整器の圧力の設定値を第１の設定値として検出する処理とを、コンピュータに実行させる、分析支援プログラム。
【請求項１０】
超臨界流体を含む移動相を供給流路に供給する送液部と、前記供給流路から分岐する第１および第２の流路にそれぞれ設けられる第１および第２の背圧調整器と、前記第１の流路において前記第１の背圧調整器の上流に設けられる分析カラムとを含む超臨界流体クロマトグラフと、
前記超臨界流体クロマトグラフの分析条件の決定を支援する請求項５〜８のいずれか一項に記載の分析支援装置とを備える、分析システム。
【手続補正２】
【補正対象書類名】明細書
【補正対象項目名】００３６
【補正方法】変更
【補正の内容】
【００３６】
分析支援装置３は、入出力Ｉ／Ｆ（インタフェース）３１、ＣＰＵ（中央演算処理装置）３２、ＲＡＭ（ランダムアクセスメモリ）３３、ＲＯＭ（リードオンリメモリ）３４および記憶装置３５を含み、例えばパーソナルコンピュータまたはサーバにより構成される。入出力Ｉ／Ｆ３１、ＣＰＵ３２、ＲＡＭ３３、ＲＯＭ３４および記憶装置３５はバス３８に接続されている。分析支援装置３のバス３８には、操作部３６および表示部３７が接続される。操作部３６は、キーボードおよびポインティングデバイス等を含み、種々の値等の入力および種々の操作のために用いられる。表示部３７は、液晶ディスプレイまたは有機エレクトロルミネッセンスディスプレイ等を含み、種々の情報および画像を表示する。操作部３６および表示部３７は、タッチパネルディスプレイにより構成されてもよい。
【手続補正３】
【補正対象書類名】明細書
【補正対象項目名】００５６
【補正方法】変更
【補正の内容】
【００５６】
第２のＢＰＲ１６２のドレインから排出される移動相の流量が０になった場合には、設定値検出部３０４は、第１のＢＰＲ１６１の圧力の設定値を第１の設定値として検出する（ステップＳ８）。検出された第１の設定値は、記憶部３０５に記憶される。決定更新部３０７は、分析メソッドの分析条件の一部として第１の設定値を決定または更新する（ステップＳ９）。具体的には、決定更新部３０７は、記憶部３０５に記憶された分析メソッドの分析条件の一部として第１の設定値を決定する。あるいは分析メソッドに第１のＢＰＲ１６１の圧力の設定値が規定されている場合には、決定更新部３０７は規定された設定値を第１の設定値に更新する。条件設定部３０２は、第１のＢＰＲ１６１の圧力を設定値検出部３０４により検出された第１の設定値に設定する（ステップＳ１０）。
【手続補正４】
【補正対象書類名】明細書
【補正対象項目名】００６４
【補正方法】変更
【補正の内容】
【００６４】
１…超臨界流体クロマトグラフ，３…分析支援装置，３１…入出力Ｉ／Ｆ，３２…ＣＰＵ，３３…ＲＡＭ，３４…ＲＯＭ，３５…記憶装置，３６…操作部，３７…表示部，３８…バス，１００…分析システム，１１０…送液部，１１１…ＣＯ２ポンプ，１１２…モディファイアポンプ，１１３…ミキサ，１１４…ボンベ，１１５…モディファイア容器，１２０…超臨界流体抽出部，１２１…抽出容器，１３０…オートサンプラ，１３１…ニードル，１３２…注入ポート，１３３…切替バルブ，１３４…サンプルループ，１４０…カラムオーブン，１４１…分析カラム，１５０…検出器，１６１，１６２…ＢＰＲ，１６３…流量センサ，１７０…メイクアップポンプ，１７１…メイクアップ容器，１８０…制御装置，２００…試料導入部，３０１…条件取得部，３０２…条件設定部，３０３…制御指示部，３０４…設定値検出部，３０５…記憶部，３０６…提示部，３０７…決定更新部，Ｎ１…分岐部，Ｎ２…合流部，Ｐ１，Ｐ２…流路，ＰＡ，ＰＢ…供給流路